【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
少なくとも１つの部品に取付けるクリップ組立体において、
遠位端部を有する中心ビーム部を備え、該中心ビーム部から第１と第２のキャップ保持部材が延びるピンと、
前記ピンの前記遠位端部に取付けられるキャップとを具備し、
前記第１のキャップ保持部材が前記キャップを前記ピン上の第１の位置にしっかりと保持するように形成され、前記第２のキャップ保持部材が前記キャップを前記ピン上の第２の位置にしっかりと保持するように形成されており、
前記ピンまたはキャップの一方が少なくとも１つのデテント部を備え、前記ピンまたはキャップの他方が前記少なくとも１つのデテント部を保持する少なくとも１つの凹部を備えており、第１の位置で前記少なくとも１つの凹部に前記少なくとも１つのデテント部がしっかりと保持されるようにしたクリップ組立体。
【請求項２】
前記第１の位置は離脱防止位置であり、該離脱防止位置において、前記キャップが前記ピンから意図せず離脱することと、前記ピンの可撓性アーム部がともに締め付けられることの一方または双方が防止されるようにした請求項１に記載のクリップ組立体。
【請求項３】
前記第２の位置は非係止位置であり、該非係止位置において、前記第２のキャップ保持部材が前記ピンの可撓性アーム部を圧迫状態に保持して、前記少なくとも１つの部品からの前記クリップ組立体の取外しを容易にした請求項１に記載のクリップ組立体。
【請求項４】
前記第１のキャップ保持部材が第１のランプ部を有し、前記第２のキャップ保持部材が前記第１のランプ部から離間配置された第２のランプ部を有する請求項１に記載のクリップ組立体。
【請求項５】
前記キャップは、
被覆ノーズ部と、
前記被覆ノーズ部から延びる側方ビーム部とを具備し、
前記側方ビーム部のうちの少なくとも一方がランプ部に係合する突出部を有し、該ランプ部に係合する突出部は前記第１の位置において前記第１のキャップ保持部材と前記第２のキャップ保持部材との間に固定され、該ランプ部に係合する突出部は前記第２の位置において前記第２のキャップ保持部材によって支持されるようにした請求項１に記載のクリップ組立体。
【請求項６】
前記ピンは、
前記遠位端部において対向するプロング部と、
前記中心ビーム部から外方に延びる対向する可撓性アーム部とを更に具備する請求項１に記載のクリップ組立体。
【請求項７】
前記キャップは、前記ピンのヘッド部に向かって押圧されることにより該キャップが前記第２の位置に移動するように構成され、前記キャップが前記ピンの前記ヘッド部に向かって押圧されると、前記キャップは前記可撓性アーム部を互いに接近する方向に圧迫する請求項６に記載のクリップ組立体。
【請求項８】
前記対向する可撓性アーム部の各々は内方突出部を有しており、該内方突出部は、前記第１の位置において前記キャップの一部分に当接し、前記第２の位置において前記キャップの該一部分から分離されるようになっている請求項６に記載のクリップ組立体。
【請求項９】
前記内方突出部は、前記クリップ組立体が前記部品にしっかりと設置される第３の位置において、前記キャップの前記一部分から分離される請求項８に記載のクリップ組立体。
【請求項１０】
前記ピンに取付けられた環状シール部材を更に具備する請求項１に記載のクリップ組立体。
【請求項１１】
穴を有するパネルと、
少なくとも１つの部品に取付けるクリップ組立体とを具備する固定システムにおいて、
前記クリップ組立体が、
遠位端部を有する中心ビーム部を備え該中心ビーム部から第１と第２のキャップ保持部材が延びるピンと、
前記ピンの前記遠位端部に取付けられるキャップとを具備し、
前記第１のキャップ保持部材が前記キャップを前記ピン上の第１の位置にしっかりと保持するように形成され、前記第２のキャップ保持部材が前記キャップを前記ピン上の第２の位置にしっかりと保持するように形成されており、
前記ピンまたはキャップの一方が少なくとも１つのデテント部を備え、前記ピンまたはキャップの他方が前記少なくとも１つのデテント部を保持する少なくとも１つの凹部を備えており、第１の位置で前記少なくとも１つの凹部に前記少なくとも１つのデテント部がしっかりと保持されるようになっている固定システム。
【請求項１２】
前記第１の位置は、前記キャップが前記ピンから意図せず離脱することと、前記ピンの可撓性アーム部がともに締め付けられることの一方または双方を防止する離脱防止位置であり、前記第２の位置は、前記第２のキャップ保持部材が前記ピンの可撓性アーム部を圧迫状態に保持して、前記少なくとも１つの部品からの前記クリップ組立体の取外しを容易にする非係止位置である請求項１１に記載の固定システム。
【請求項１３】
前記第１のキャップ保持部材が第１のランプ部を有し、前記第２のキャップ保持部材が前記第１のランプ部から離間配置された第２のランプ部を具備する請求項１１に記載の固定システム。
【請求項１４】
前記キャップは、
被覆ノーズ部と、
前記被覆ノーズ部から延びる複数の側方ビーム部とを具備し、
少なくとも１つの前記側方ビーム部がランプ部に係合する突出部を有し、該ランプ部に係合する突出部は、前記第１の位置において前記第１のキャップ保持部材と前記第２のキャップ保持部材との間に固定され、該ランプ部に係合する突出部は、前記第２の位置において前記第２のキャップ保持部材によって支持されるようにした請求項１１に記載の固定システム。
【請求項１５】
前記ピンは、
前記遠位端部において対向するプロング部と、
前記中心ビーム部から外方に延びる対向する可撓性アーム部とを更に具備し、
前記対向する可撓性アーム部の各々は内方突出部を有しており、該内方突出部は、前記第１の位置において前記キャップの一部分に当接し、前記第２の位置において前記キャップの該一部分から分離されるようになっており、
前記キャップは、前記ピンのヘッド部に向かって押圧されることにより該キャップが前記第２の位置に移動し、前記キャップが前記ピンの前記ヘッド部に向かって押圧されると前記キャップが前記可撓性アーム部を互いに接近する方向に圧迫するようにした請求項１１に記載の固定システム。
【請求項１６】
前記内方突出部は、前記クリップ組立体が前記部品にしっかりと設置される第３の位置において前記キャップの前記一部分から分離される請求項１５に記載の固定システム。
【請求項１７】
少なくとも１つの部品に取付けるクリップ組立体において、
（ａ）ピンと、
（ｂ）前記ピンに取付けられる環状シール部材と、
（ｃ）前記ピンの前記遠位端部に取付けられるキャップとを具備し、
前記ピンが(i)ヘッド部と、(ii)前記ヘッド部に連結された中心ビーム部であって、前記ヘッド部とは反対側に遠位端部を有する中心ビーム部と、(iii)前記遠位端部において対向するプロング部と、(iv)前記中心ビーム部から外方に延びる対向する可撓性アーム部であって、各々が内方突出部を有して成る対向する可撓性アーム部と、(v)前記中心ビーム部から延びる第１と第２のキャップ保持部材とを具備し、
前記キャップが、被覆ノーズ部と、該被覆ノーズ部から延びる複数の側方ビーム部とを具備し、
前記第１のキャップ保持部材が該キャップを前記ピン上の離脱防止位置にしっかりと保持し、該離脱防止位置において、該キャップが前記ピンから意図せず離脱すること、前記ピンの前記可撓性アーム部がともに圧迫されることの一方または双方が防止され、前記第２のキャップ保持部材が該キャップを前記ピン上の非係止位置にしっかりと保持し、該非係止位置において、前記第２のキャップ保持部材が前記可撓性アーム部を圧迫状態に保持して、該クリップ組立体が前記少なくとも１つの部品から容易に取外せるようにし、前記対向する可撓性アーム部の各々の前記内方突出部は前記離脱防止位置において該キャップの一部分に当接し、前記非係止位置において該キャップの前記部分から分離されるようになっており、該キャップは、前記ピンの前記ヘッド部に向かって押圧されることにより該キャップが前記非係止位置に移動するように構成され、かつ、該キャップが前記ピンの前記ヘッド部に向かって押圧されると、該キャップが前記可撓性アーム部を互い接近する方向に圧迫するようにしたクリップ組立体。
【請求項１８】
前記第１のキャップ保持部材が第１のランプ部を具備し、前記第２のキャップ保持部材が前記第１のランプ部から離間する第２のランプ部を具備しており、
少なくとも１つの前記側方ビーム部がランプ部に係合する突出部を具備し、該ランプ部に係合する突出部は、前記離脱防止位置において前記第１のランプ部と前記第２のランプ部との間に固定されており、該ランプ部に係合する突出部は、前記非係止位置において前記第２のランプ部によって支持され、前記ピンまたは前記キャップの一方が少なくとも１つのデテント部を具備し、前記ピンまたは前記キャップの他方が前記少なくとも１つのデテント部を保持する少なくとも１つの相補的な凹部を具備し、前記少なくとも１つのデテント部は、前記離脱防止位置において前記少なくとも１つの相補的な凹部内にしっかりと保持されるようになっており、前記内方突出部は、前記クリップ組立体が前記パネルにしっかりと設置される設置位置において前記キャップの前記一部分から分離されるようにした請求項１７に記載のクリップ組立体。
【請求項１９】
少なくとも１つの部品に取付けるクリップ組立体において、
遠位端部を有する中心ビーム部を備え、該中心ビーム部から第１と第２のキャップ保持部材が延びるピンと、
前記ピンの前記遠位端部に取付けられるキャップとを具備し、
前記中心ビーム部が遠位端部と、該遠位端部において対向するプロング部と、前記中心ビーム部から外方に延びる対向する可撓性アーム部とを有し、
前記対向する可撓性アーム部の各々は内方突出部を有し、
前記中心ビーム部から第１と第２のキャップ保持部材が延び、
前記第１のキャップ保持部材が前記キャップを前記ピン上の第１の位置にしっかりと保持するように形成され、前記第２のキャップ保持部材が前記キャップを前記ピン上の第２の位置にしっかりと保持するように形成されており、
内方突出部は、前記第１の位置において前記キャップの一部分に当接し、前記第２の位置において前記キャップの該一部分から分離されるようになっているクリップ組立体。
【請求項２０】
前記内方突出部は、前記クリップ組立体が前記部品にしっかりと設置される第３の位置において、前記キャップの前記一部分から分離される請求項１９に記載のクリップ組立体。
【請求項２１】
穴を有するパネルと、
少なくとも１つの部品に取付けるクリップ組立体とを具備する固定システムにおいて、
前記クリップ組立体が、
遠位端部を有する中心ビーム部を備え該中心ビーム部から第１と第２のキャップ保持部材が延びるピンと、
前記ピンの前記遠位端部に取付けられるキャップとを具備し、
前記中心ビーム部が遠位端部と、該遠位端部において対向するプロング部と、前記中心ビーム部から外方に延びる対向する可撓性アーム部とを有し、
前記対向する可撓性アーム部の各々は内方突出部を有し、
前記中心ビーム部から第１と第２のキャップ保持部材が延び、
前記第１のキャップ保持部材が前記キャップを前記ピン上の第１の位置にしっかりと保持するように形成され、前記第２のキャップ保持部材が前記キャップを前記ピン上の第２の位置にしっかりと保持するように形成されており、
内方突出部は、前記第１の位置において前記キャップの一部分に当接し、前記第２の位置において前記キャップの該一部分から分離されるようになっている固定システム。
【請求項２２】
前記キャップは、前記ピンのヘッド部に向かって押圧されることにより該キャップが前記第２の位置に移動し、前記キャップが前記ピンの前記ヘッド部に向かって押圧されると前記キャップが前記可撓性アーム部を互いに接近する方向に圧迫するようにした請求項２１に記載の固定システム。
【請求項２３】
前記内方突出部は、前記クリップ組立体が前記部品にしっかりと設置される第３の位置において、前記キャップの前記一部分から分離される請求項２１に記載の固定システム。